(57)【特許請求の範囲】
【請求項１】
多角形状の複数の床パネルを並列に敷設して全体床を構成する建築物の床において、
一の床パネルと隣接する他の床パネルとの床面間に形成される開口部と、
この開口部の下方に配置され、前記開口部から滴下する液体を受ける樋部と、
床パネルの角部に配置され、床パネル上に散水する洗浄水を中継する連繋部と、を備え、
前記連繋部は、洗浄水を受け入れる給水口、及び洗浄水を床パネル上に散水する散水口、並びに洗浄水を他の連繋部に吐出する吐出口を有することを特徴とする建築物の床。
【請求項２】
前記連繋部は、前記給水口から流入する洗浄水を受ける連絡室を有する本体部と、この本体部に着脱可能に設けられ前記散水口を有する散水部と、を備え、
前記本体部は前記樋部側に固定され、
前記散水部は、散水部の下部が前記本体部に接続するとともに、散水部の上部が床パネル上に臨むことを特徴とする請求項１記載の建築物の床。
【請求項３】
前記散水部の上部は、前記開口部の幅より大きく形成され、
散水部が本体部に接続することにより、散水部の上部が床パネルを固定することを特徴とする請求項１または２に記載の建築物の床。
【請求項４】
前記連繋部の給水口及び吐出口は前記樋部内に臨み、
各連繋部は、一端を一方の連繋部の吐出口に接続するとともに、他端を他方の連繋部の給水口に接続する管路にて連通されていることを特徴とする請求項１〜３のいずれかに記載の建築物の床。
【請求項５】
前記管路は、合成樹脂材により形成されていることを特徴とする請求項４記載の建築物の床。
【請求項６】
前記各床パネルは平面矩形状に形成され、
全体床の下方には、上部に開口した流路を有するとともに各床パネルを支承する複数の大引き材が設けられ、
前記各大引き材は、前記樋部の下方高さ位置において樋部に略直交し、前記樋部と大引き材の流路とが連通して、樋部内の液体が前記流路に流下することを特徴とする請求項１〜５のいずれかに記載の建築物の床。
【請求項７】
前記樋部は横方向に並列され、
縦方向に隣接する床パネル同士の床面間に、第２の開口部を設け、
この第２の開口部の下方に、前記大引き材を配置し、
第２の開口部から滴下する液体を前記大引き材の流路が直接受けることを特徴とする請求項６記載の建築物の床。
【発明の詳細な説明】
【０００１】
【発明の属する技術分野】
本発明は建築物の床に関し、更に詳細には建築物内において水洗浄が可能な床に関する。
【０００２】
【従来の技術】
水洗浄を必要とする建築物の床は、多くの場合、コンクリート床スラブ上へのならしモルタルの塗布、アスファルト塗布、押さえモルタル層の形成、シンダーコンクリート層の形成、タイル下地モルタルの塗布、タイル仕上という一連の工程を経て形成される。このような工程を経て形成される床は良好な防水性を有する。しかし、施工に必要とする時間が極めて長く、それが工期遅れの大きな原因となっている。また、床の一部分に破損を生じた場合は、その修復に多大な費用が必要となる。
【０００３】
そこで、本出願人は先に、このような問題を解消した床を提案した。
これは、特許第２５３９７０９号公報に記載されているように、床スラブ面から浮かせた位置に床パネルを配置し、床パネル上に散水した水を効率的に排水させるようにしたものである。
【０００４】
すなわち、平面上に設置される複数の床パネルの間に目地材を挟置し、この床パネルの両縁を支持する根太材を配置する。さらに、これら根太材に直交して根太材を支承する大引き材を配置し、前記根太材内部と大引き材とを連通させる通水孔を設ける。
【０００５】
この通水孔は、根太材と大引き材とに夫々設けた通水孔を一致させることで形成されている。なお、根太材にはフランジが設けられており、排水が外部に漏れることを防止するようにしてある。
【０００６】
そして、前記大引き材の端部に、床パネルと目地材との間から流入した水を外部に排出する排水管を設けてある。
さらに、前記大引き材の両端部下面にこれを支承する束材を配置し、この束材を建築物の床スラブ面に接地させることで全体を保持するような構成になっている。
【０００７】
なお、前記大引き材には換気用筒状体が接続されており、内部を乾燥させるとともに、床上空間に臭気が滞留しないようにしてある。
このような構成により、床洗浄水は根太材から大引き材を通って排水管より外部に排出され、床上の洗浄水を効率良く排出できる床を、簡易な施工にて組み立てられるようになっている。
【０００８】
また、本発明者は、前記目地材部分に導水管を設けるとともに、この導水管の表面側に所定間隔毎に散水孔を設け、導水管内に給水を行うことにより、床パネル上に散水が行える床を発明した。
【０００９】
【発明が解決しようとする課題】
本発明者は、鋭意研究の結果、前述した床について、さらなる改善すべき点を見い出した。
すなわち、建築物の床の施工性をさらに向上する点と、床全体の安定性を向上する点である。
【００１０】
本発明は前記事項に鑑みなされたものであり、散水効率及び排水効率を良好に維持しつつ、容易に施工可能な建築物の床を提供することを課題とする。
また、より床全体の安定性を向上させた洗浄可能な建築物の床を提供することを課題とする。
【００１１】
【課題を解決するための手段】
本発明は、多角形状の複数の床パネルを並列に敷設して全体床を構成する建築物の床において、一の床パネルと隣接する他の床パネルとの床面間に形成される開口部と、この開口部の下方に配置され、前記開口部から滴下する液体を受ける樋部と、床パネルの角部に配置され、床パネル上に散水する洗浄水を中継する連繋部と、を備える。
【００１２】
そして、前記連繋部は、洗浄水を受け入れる給水口、及び洗浄水を床パネル上に散水する散水口、並びに洗浄水を他の連繋部に吐出する吐出口を有する。
前記連繋部は、前記給水口から流入する洗浄水を受ける連絡室を有する本体部と、この本体部に着脱可能に設けられ前記散水口を有する散水部と、を備え、前記本体部は前記樋部側に固定され、前記散水部は、散水部の下部が前記本体部に接続するとともに、散水部の上部が床パネル上に臨むよう構成することができる。
【００１３】
また、前記散水部の上部を前記開口部の幅より大きく形成し、散水部を本体部に接続することにより、散水部の上部が床パネルを固定する構成とすることができる。
【００１４】
また、前記連繋部の給水口及び吐出口は前記樋部内に臨み、各連繋部は、一端を一方の連繋部の吐出口に接続するとともに、他端を他方の連繋部の給水口に接続する管路にて連通させることができる。この管路は、合成樹脂材により形成することが好ましい。
【００１５】
また本発明は、前記各床パネルを平面矩形状に形成し、全体床の下方には、上部に開口した流路を有するとともに各床パネルを支承する複数の大引き材を設け、前記各大引き材は、前記樋部の下方高さ位置において樋部に略直交し、前記樋部と大引き材の流路とが連通して、樋部内の液体が前記流路に流下する建築物の床とすることができる。
【００１６】
そして、前記樋部を横方向に並列し、縦方向に隣接する床パネル同士の床面間に、第２の開口部を設け、この第２の開口部の下方に、前記大引き材を配置し、第２の開口部から滴下する液体を前記大引き材の流路が直接受ける構成とすることもできる。
【００１７】
前記床パネルは、３角形状、６角形状等、多角形状に形成できるが、好ましくは、４角形状（矩形状）に形成するとよい。
【００１８】
【発明の実施の形態】
以下、本発明の建築物の床を図１〜図１０に基いてさらに詳細に説明する。
本実施形態の建築物の床は、複数の床パネル２が並列して載置されることにより、全体床が構成される。
【００１９】
床パネル２は、平面正方形状のパネル本体の一側部に、凹状の樋部４０（第１側部）が形成されるとともに、他側部に、前記樋部４０の外端部の形状に対応する連接部５０（第２側部）が形成されている。そして、これら樋部４０及び連接部５０は、図６に示すように、床パネル２の芯材であるパネル本体部３と一体に形成されている。
【００２０】
樋部４０は、パネル本体部３の一側端部から垂下した内側部４１と、内側部４１に連なる底部４２と、底部４２から立ち上がる外側部４３とから構成されている。なお、前記内側部４１は、床パネル２の上部（後述する蓋体）の端部より内方位置に形成されている。
【００２１】
また、連接部５０は、本体部３の他側端部から水平方向に延出された延出部５２と、この延出部５２から垂下した連接側部５３から構成されている。なお、この連接側部５３も、床パネル２の上部の端部より内方位置に形成されている。
【００２２】
一方、床パネル２のその他の両側部（第３側部、第４側部）は同一形状を呈しており、本体部３の端部（第３側部、第４側部）から下方に延出された下方延出部５７と、この下方延出部５７から外側に張り出す張出部５８とからそれぞれ構成されている。
【００２３】
図２〜図４は、複数の床パネル２を接続し、複数の大引き材６０に載置するとともに、各床パネル２の角部に、散水機構の中核となる連繋部２０を設置した状態において、図１に示すＡ−Ａ’線、Ｂ−Ｂ’線、Ｃ−Ｃ’線にて断面とした図である。さらに、図５は図２のＡ部分の拡大図であり、図６は図３のＢ部分の拡大図であり、そして、図７は図４のＣ部分の拡大図である。
【００２４】
床パネル２の本体部３の上には、シリコンゴム等により成形された弾性材７５を介して、床面となる矩形状の蓋体７０が設けられている。この蓋体７０の四辺は、床面から垂下する側部７１として形成してあり、前記弾性材７５を覆っている。
【００２５】
このような形状の床パネル２は、蓋体７０を除いた本体部３に連接する部材が、本体部３と一体に形成されているが、その成形にあたっては、一枚の金属板（ステンレススチール等）を折り曲げて形成してもよいし、適宜溶接して形成してもよい。あるいは、金型内に樹脂等を充填して成形するようにしてもよい。
【００２６】
そして、図３及び図６に示すように、床パネル２を敷設するには、一の床パネル２の樋部４０内に、隣接する他の床パネル２の連接部５０をはめ込む。すなわち、樋部４０の外側部４３の高さは、連接部５０の連接側部５３の高さ位置より若干低く形成されており、連接部５０の延出部５２の裏面に、外側部４３の頂部が近接する。こうして、各床パネル２の横方向の接続が順次なされる。
【００２７】
また、各床パネル２の縦方向の敷設にあたっては、床パネル２の縦方向の幅に合わせて予め所定間隔毎に設置された複数の大引き材６０上に、各床パネル２を載置することによってなされる。すなわち、図４及び図７に示すように、１本の大引き材６０上に、２つの床パネル２の端部が対向してそれぞれ固定される。なお、前記連繋部２０は、その本体部２１を床パネル２の敷設と共に設置するものであるが、詳細は後述する。
【００２８】
大引き材６０は、頂部中央に開口を有する中空鋼材となっており、底部６１と、この底部６１から垂設される側部６２，６２と、側部６２，６２の上部から内方に延出する頂部６３，６３と、この頂部６３，６３から垂下するＬ字型の段部６４とから構成されている。そして、前記床パネル２の下方延出部５７及び張出部５８が、前記段部６３上に対応しており、床パネル２は大引き材６０に対して位置決めされる。
【００２９】
ここで、前記連繋部２０について説明する。
連繋部２０は、図９に示すように、本体部２１と、この本体部２１に着脱可能に取り付けられる散水部３１とから構成されている。本体部２１は、内部に連絡室２２を有する四角箱状に形成されている。そして、４つの側面のうち、２つの側面には、前記連絡室２２に連通する給水口２４、２４が設けられるとともに、他の２つの側面には、同じく連絡室２２に連通する吐出口２５が設けられている。なお、給水口２４と吐出口２５は、全体床に対して、当該連繋部２０が設置される位置によって、適宜変更され得るものである。
【００３０】
また、本体部２１の上面部には、床パネル２表面に洗浄水を散水するための散水口を有する散水部２１に接続する、前記連絡室２２に連通する連絡口２６が設けられている。この連絡口２６の下方には、連絡口２６の口径と同一内径の筒部２８が連絡室２２内に臨んで形成されている。また、本体部２１の対向する１組の側面中央には、それぞれ切欠き部２９，２９が設けられている。なお、連繋部２０が床に設置された際、この切欠き部２９が設けられている側面が、樋部４０内に臨むこととなる。さらに、本体部２１の他の対向する１組の側面下部には、フランジ２３、２３が外方に向けて延設されている。このフランジ２３には、ボルト挿入用の孔２７，２７が設けられている。
【００３１】
一方、散水部３１は、内部に通路３５を有する円筒部３４と、この円筒部３４の上部に設けられた円盤部３７とを備えている。この円盤部３５の表面には、前記通路３５と連通する噴射孔（散水口）３３が４箇所設けられている。本実施形態では、床パネル２は矩形状であるため、連繋部２０を設置する際には、連繋部２０は異なる４つの床パネル２の角部に位置することとなり、前記各噴射孔３３は、それぞれ一の床パネル２に向けて位置決めされる。なお、噴射孔３３は、水平方向に対して略４５度の角度で外方向（床パネル２側）に向けて形成されている。そして、散水部３１の円筒部３４が、本体部２１の円筒２８（連絡口２６）に挿入固定される。なお、散水部３１の本体部２１への固定は、螺合により行っても良い。
【００３２】
また、散水部３１は、図１０に示すような構造にすることもできる。図１０に示す散水部３１は、噴射孔３３ａを、水平に開口して、洗浄水が円盤部３７と床パネル２表面間から噴出するようにしたものである。
【００３３】
図１は、床パネル２を複数並列に組み合わせた状態を表している。そして、各床パネル２間には、開口部が設けられている。すなわち、樋部４０の上方である第１開口部（開口部）６と、樋部４０の直角方向上方である第２開口部（第２の開口部）８である。
【００３４】
本実施形態の建築物の床の施工にあたっては、図２に示すように床パネル２の幅に合わせて複数の大引き材６０を平行に配置する。なお、各大引き材６０は、図示しない束材によって床スラブ上に支持させる。束材の下部にはアジャスタを設け、高さ調整を行えるようにするとよい。
【００３５】
そして、これらの隣り合う大引き材６０，６０に跨るように、壁５の端部に合わせて縦方向一列に各床パネル２を載置する。また、床パネル２の横方向（大引き材６０の軸方向）への連続した敷設は、床パネル２の樋部４０と、横方向に隣接させる床パネル２の連接部５０とを順次接続させていく。そして、この床パネル２の施工の際、床パネル２の各角部において、連繋部２０の本体部２１を設置するが、床パネル２の張出部５６上に載置された本体部２１のフランジ２３は、孔２７と、張出部５６及び段部６４に設けられた孔とを貫通するボルト１２によって、床パネル２（樋部４０）及び大引き材６０と共に固定される。
【００３６】
そして、床パネル２の上方から、散水部３１の円筒部３４を連絡口２６に差し込み、散水部３１を本体部２１に固定する。また、隣り合う連繋部２０同士は、樋部４０内あるいは大引き材６０内に収納された合成樹脂製の管路９によって接続させる。管路９は、連繋部２０の給水口２４あるいは吐出口２５と、隣の角部に位置する連繋部２０の吐出口２５あるいは給水口２４とを接続する。
【００３７】
このように、各床パネル２の角部における連繋部２０を固定することのみによって、床の各構成要素の固定を完了することができる。また、床パネル２の位置決めは、設置した床パネル２の樋部４０に、次に敷設する床パネル２の連接部５０を重ね合わせるだけの単純な作業により正確になされる。
【００３８】
なお、組み立てられた各大引き材６０の端部付近には、各大引き材６０と直交するように排水横引き管を設け、この排水横引き管と大引き材６０の内部（流路）とは、それぞれ排水縦管によって連通させる。また、全体床の端部に位置する樋部４０には、密閉壁を取り付けると共に、全体床の端部に位置する連繋部２０の端部側の給水口２４あるいは吐出口２５も密閉する。
【００３９】
さらに、床と壁５との境界付近には、シールド１５を施し、壁５に洗浄水が直接かからないようにする。
次に、床を洗浄する際の動作を説明する。
管理者が図示しない制御盤を操作することにより、管路９の上段側に接続された給水バルブが開放され、管路９内に洗浄水が供給される。管路９内の洗浄水は、管路９に接続された給水口２４から連繋部２０の連絡室２２内に流入し、連絡室２２内に流入した洗浄水の一部は散水部３１の噴射孔（散水口）３３から床パネル２表面に向けて散水される。また、連絡室２２内に流入した洗浄水のその他は、吐出口２５から別の管路９を経て隣りの連繋部２０に供給される。このように、水経路の上流側から順次下流側の連繋部２０に洗浄水が供給され、各連繋部２０において、床パネル２上への洗浄水の散水が行われる。
【００４０】
なお、洗浄水の供給にあたっては、洗浄水中に、洗剤を混合することもできる。すなわち、前記給水バルブと管路９との間に、洗剤注入用のバルブを設け、このバルブを開放した際に、洗剤が管路９中に供給されるように構成することができる。そして、洗剤の供給は、例えば、全体床の一度の清掃において、清掃の中期段階にのみ洗剤を供給し、清掃の初期段階及び後期段階では水道水のみの散水を行うようにするとよい。
【００４１】
そして、床パネル２上を洗浄した洗浄水は、第１開口部６又は第２開口部８から、下方に滴下する。第１開口部６から滴下した洗浄水は、樋部４０にて受けられ、樋部４０内を流れて大引き材６０内に流下する。このとき、樋部４０の端部に位置することとなる連繋部２０の本体部２１には、切欠き部２９が形成されているため、樋部４０内の洗浄水は、本体部２１の側面に堰き止められることなく、大引き材６０内に円滑に流下する。また、第２開口部８から滴下した洗浄水は、直接大引き材６０内に受けられる。そして、各大引き材６０内の洗浄水は、排水縦管を経て排水横引き管に流れ込み、排水本管側に排水される。
【００４２】
以上のように本実施形態の建築物の床によれば、隣接する床パネル２間の開口部に散水機構を有する導水管を設けずに、床パネル２の各角部に散水ポイント（連繋部）を設けた。そして、各散水ポイントを合成樹脂製のホースにより接続したので、開口部を従来の開口部（３０〜４０ｍｍ）に比較して、極力狭く（４〜１０ｍｍ）することができた。このため、床面上の開口部は小さいので、床全体の安定性、及び使用者にとっての安心感を向上することができる。しかも、開口部の下方の樋部４０は、内側部４１及び連接側部５３を床パネル２の内方寄りにて形成したので、樋部４０内の大きさを充分確保できて、排水の流れが抑制されることはない。
【００４３】
そして、床パネル２を、樋部４０及び連接部５０と一体に形成したので、部品点数を少なくできるとともに、床パネル同士の接続を簡易に行うことができる。
また、床パネル２の樋部４０は、大引き材６０上に単に懸架された状態で、樋部４０の端部と大引き材６０の開口との連通がなされるので、容易に施工を行うことができる。
【００４４】
【発明の効果】
本発明によれば、散水効率及び排水効率を良好に維持しつつ、容易に施工可能な建築物の床を提供することができる。
【００４５】
また、隣接する床パネル間の開口部を小さく形成できるようにしたので、洗浄可能な床全体の安定性を向上させることができる。
【図面の簡単な説明】
【図１】本発明の一実施形態である建築物の床の全体平面図。
【図２】図１におけるＡ−Ａ’線断面図。
【図３】図１におけるＢ−Ｂ’線断面図。
【図４】図１におけるＣ−Ｃ’線断面図。
【図５】図２におけるＡ部分の拡大図。
【図６】図３におけるＢ部分の拡大図。
【図７】図４におけるＣ部分の拡大図。
【図８】実施形態における連繋部が設置された状態を断面とした斜視図。
【図９】実施形態における連繋部の斜視図。
【図１０】実施形態における散水部の他の態様を示す断面斜視図。
【符号の説明】
２  床パネル
５  壁
６  開口部（第１開口部）
８  開口部（第２開口部）
９  管路
１２  ボルト
２０  連繋部
２１  本体部
２４  給水口
２５  吐出口
３１  散水部
３３  噴射孔（散水口）
４０  樋部
５０  連接部
６０  大引き材
７０  蓋体
【図１】
0004598317.tif 000002
【図２】
0004598317.tif 000003
【図３】
0004598317.tif 000004
【図４】
0004598317.tif 000005
【図５】
0004598317.tif 000006
【図６】
0004598317.tif 000007
【図７】
0004598317.tif 000008
【図８】
0004598317.tif 000009
【図９】
0004598317.tif 000010
【図１０】
0004598317.tif 000011